(57)【特許請求の範囲】
【請求項１】
リサイクル可能な同一形状の容器と、該容器以外の廃棄物を分別して回収する分別回収装置であって、
前記容器に適合した大きさ及び形状の複数の容器投入口と、
前記複数の容器投入口より下方に配置される容器回収箱と、
前記複数の容器投入口に投入された容器を前記容器回収箱に導く一連の容器回収経路と、
廃棄物投入口と、
前記廃棄物投入口より下方に配置される廃棄物回収箱と、
前記廃棄物投入口に投入された廃棄物を前記廃棄物回収箱に導く廃棄物回収経路を備えており、
前記複数の容器投入口は、それぞれ異なる高さに配置されており、
前記複数の容器投入口から投入された容器は、いずれも前記一連の容器回収経路の末端に形成されている容器排出部を経由して前記容器回収箱に回収され、
前記一連の容器回収経路の少なくとも一部が透視可能となっている
ことを特徴とする分別回収装置。
【請求項２】
前記分別回収装置は、上部筐体と下部筐体からなり、
前記上部筐体には、前記複数の容器投入口、前記一連の容器回収経路、前記廃棄物投入口及び前記廃棄物回収経路が設けられており、
前記下部筐体には、前記容器回収箱及び前記廃棄物回収箱を収容可能な収容部並びに前記容器回収箱及び前記廃棄物回収箱を出し入れ可能な開口部が設けられている
ことを特徴とする請求項１に記載の分別回収装置。
【発明の詳細な説明】
【技術分野】
【０００１】
この発明は、リサイクル可能な容器に入った商品を販売する店舗や自動販売機の近くに設置する分別回収装置に関するものである。
【背景技術】
【０００２】
ゲームセンター、遊園地やホテルのゲームコーナー、デパートやスーパーマーケットの玩具売り場、階段の踊り場等に設置されているカプセルトイマシン（通称ガチャガチャ又はガチャポン）は、各種の商品（玩具等）を封入したプラスチック製カプセル等の容器を多数格納しておき、硬貨投入後にハンドルを回すことによって内部の回転ドラムを回転させ、容器を開口の上部に移動することで商品排出口に排出させるものである。
また、カプセルトイマシンに限らず、自動販売機で販売される商品はリサイクル可能な同一サイズの容器に入ったものが多く、コンビニエンスストア等でもリサイクル可能な同一サイズの容器に入った商品が販売されている。
そして、特許文献１（特許第４４４６８８５号公報）には、複数台のパッケージ商品排出装置（カプセルトイマシン）とともに、商品を取り出して不要になったカプセルを投入するためのクリーンボックス（容器回収装置）を設置する発明が開示されている（特に、段落００２３、００３６及び図１、図６(Ａ)を参照）。
また、特許文献２（特開２００７−３１０１０７号公報）には、複数の投入口が横一列に形成され、ゴミを分別種類ごとに回収するゴミ箱装置が記載されている（特に、段落００３８〜００４１、００５６及び図１を参照）。
【先行技術文献】
【特許文献】
【０００３】
【特許文献１】特許第４４４６８８５号公報
【特許文献２】特開２００７−３１０１０７号公報
【発明の概要】
【発明が解決しようとする課題】
【０００４】
しかし、特許文献１のクリーンボックスは、カプセルを投入するためのものとなっており、カプセル以外のビニール袋や説明書等は、別の場所に設置されているゴミ箱に投入する必要がある。そのため、カプセル以外の廃棄物がクリーンボックスに捨てられてしまうこともあり、カプセルを回収する際には、クリーンボックス内のカプセルとカプセル以外の廃棄物を分別しなければならないことが多かった。
また、特許文献２記載のゴミ箱装置は、各種のゴミを分別回収できるものの、複数の投入口は横一列に形成され、ゴミを投入する人の身長の違いは考慮されていない。
そして、特許文献１のクリーンボックス及び特許文献２記載のゴミ箱装置は、いずれもゴミを投入することに楽しさを感じさせようというものではなかった。
本発明の分別回収装置は、従来のゴミ箱装置等におけるこのような状況に鑑み、リサイクル可能な容器に入った商品を購入した人が、その容器とそれ以外の廃棄物を分別して投入できるようにするとともに、分別回収装置を利用する人の身長の高低にかかわらず、リサイクル可能な容器を容易に投入できるようにすることを第１の目的とする。
さらに、本発明は、リサイクル可能な容器が投入されてから容器回収箱に収容されるまでの過程を楽しめるようにすることを第２の目的とする。
【課題を解決するための手段】
【０００５】
請求項１に係る発明は、リサイクル可能な同一形状の容器と、該容器以外の廃棄物を分別して回収する分別回収装置であって、
前記容器に適合した大きさ及び形状の複数の容器投入口と、
前記複数の容器投入口より下方に配置される容器回収箱と、
前記複数の容器投入口に投入された容器を前記容器回収箱に導く一連の容器回収経路と、
廃棄物投入口と、
前記廃棄物投入口より下方に配置される廃棄物回収箱と、
前記廃棄物投入口に投入された廃棄物を前記廃棄物回収箱に導く廃棄物回収経路を備えており、
前記複数の容器投入口は、それぞれ異なる高さに配置されており、
前記複数の容器投入口から投入された容器は、いずれも前記一連の容器回収経路の末端に形成されている容器排出部を経由して前記容器回収箱に回収され、
前記一連の容器回収経路の少なくとも一部が透視可能となっていることを特徴とする。
【０００７】
請求項２に係る発明は、請求項１に記載の分別回収装置において、前記分別回収装置は、上部筐体と下部筐体からなり、
前記上部筐体には、前記複数の容器投入口、前記一連の容器回収経路、前記廃棄物投入口及び前記廃棄物回収経路が設けられており、
前記下部筐体には、前記容器回収箱及び前記廃棄物回収箱を収容可能な収容部並びに前記容器回収箱及び前記廃棄物回収箱を出し入れ可能な開口部が設けられていることを特徴とする。
【発明の効果】
【０００８】
請求項１に係る発明の分別回収装置は、容器に適合した大きさ及び形状の複数の容器投入口と、複数の容器投入口より下方に配置される容器回収箱と、複数の容器投入口に投入された容器を容器回収箱に導く一連の容器回収経路と、廃棄物投入口と、廃棄物投入口より下方に配置される廃棄物回収箱と、廃棄物投入口に投入された廃棄物を前記廃棄物回収箱に導く廃棄物回収経路を備えているので、商品購入後に不要となったリサイクル可能な容器がいずれかの容器投入口に投入されることで容器回収箱に収容され、容器以外の廃棄物が廃棄物投入口に投入されることで廃棄物回収箱に収容されるので、リサイクル可能な容器とそれ以外の廃棄物を容易に分別して回収することができる。
また、複数の容器投入口が、それぞれ異なる高さに配置されているので、分別回収装置を利用する人の身長の高低にかかわらず、リサイクル可能な容器を容易に投入できる。
さらに、一連の容器回収経路の少なくとも一部が透視可能となっているので、リサイクル可能な容器が投入されてから容器回収箱に収容されるまでの過程を楽しむことができる。
【００１０】
請求項２に係る発明の分別回収装置によれば、請求項１に係る発明による効果に加え、分別回収装置が上部筐体と下部筐体からなり、上部筐体には、複数の容器投入口、一連の容器回収経路、廃棄物投入口及び廃棄物回収経路が設けられており、下部筐体には、容器回収箱及び廃棄物回収箱を収容可能な収容部並びに容器回収箱及び廃棄物回収箱を出し入れ可能な開口部が設けられているので、分別回収装置を店舗や自動販売機の近くに容易に設置することができ、また、容器や廃棄物を回収する際には、開口部を通して容器回収箱及び廃棄物回収箱を容易に出し入れできるので作業性が良い。
【図面の簡単な説明】
【００１１】
【図１】実施例に係る分別回収装置の正面図と右側面透視図。
【図２】実施例に係る筐体の正面図と右側面図。
【図３】実施例に係る投入パネルの正面図と右側面図。
【図４】装飾を施した実施例に係る分別回収装置の正面図。
【発明を実施するための形態】
【００１２】
以下、実施例によって本発明の実施形態を説明する。
【実施例】
【００１３】
図１（Ａ）は、実施例に係る分別回収装置の正面図であり、図１（Ｂ）は、同分別回収装置の右側面透視図である。
図１に示すように、実施例に係る分別回収装置は、上部に投入パネル１を固定可能で、下部に容器回収箱２及び廃棄物回収箱３を収容可能な筐体４を備えており、筐体４は、図１（Ｂ）に示すように上部筐体５と下部筐体６からなっている。
上部筐体５は高さ１０００ｍｍ、幅８４０ｍｍ、奥行１５０ｍｍ、下部筐体６は高さ８００ｍｍ、幅８４０ｍｍ、奥行４００ｍｍの直方体形状である。
【００１４】
図２（Ａ）及び（Ｂ）は、それぞれ実施例に係る筐体４の正面図及び右側面図である。
図１及び２に示すように、上部筐体５は厚さ２５ｍｍの側面板２枚及び上面板を有し、下部筐体６は同じく厚さ２５ｍｍの側面板２枚及び底面板を有しており、下部筐体６の側面板の上面後方に上部筐体５の側面板が適宜の手段により固定されるとともに、上部筐体５及び下部筐体６の背面に高さ１８００ｍｍ、幅８４０ｍｍ、厚さ５ｍｍのベニヤ板（図示せず）が適宜の手段により固定されている。
そして、上部筐体５の上部には、高さ１１５ｍｍ、幅８４０ｍｍ、厚さ１５ｍｍの化粧板７が取り付けてあり、化粧板７の下には、投入パネル１が６本のネジによって固定できるようになっている。また、下部筐体６には、上面前方に厚さ３０ｍｍ、幅８４０ｍｍ、奥行３２０ｍｍの天板８、前面に高さ７４０ｍｍ、幅４２０ｍｍ、厚さ２０ｍｍの扉板９が２枚、左右の側面板の下面にキャスター１０が２個ずつ、底面板の下面の前方にストッパー１１が２個設けてある。
なお、２枚の扉板９は、それぞれ左右の側面板に蝶番によって開閉自在に固定されており、通常は閉鎖状態として、下部筐体６に収容されている容器回収箱２及び廃棄物回収箱３を外部から目視できないようにし、カプセルやカプセル以外の廃棄物を回収する際には開放状態として、容器回収箱及び廃棄物回収箱を出し入れできるようになっている。
また、２個のストッパー１１は、底面板の下面の前方に設けられているねじ穴に挿入され、回転させることによって上下位置を調整することができるようになっている。
そのため、ストッパー１１を上方位置とすれば、分別回収装置はキャスター１０によって自由に移動させることができ、移動させて位置決めした後にストッパー１１を回転させて、その下面を床面に接触させれば、分別回収装置を固定することができる。
【００１５】
図３（Ａ）及び（Ｂ）は、実施例に係る投入パネル１の正面図及び右側面図である。
図３に示すように、投入パネル１は、高さ８８５ｍｍ、幅８４０ｍｍ、厚さ５ｍｍの透明アクリル板製の前面板１２と、樋状で薄い透明アクリル板製の容器回収経路１３〜１５からなり、容器回収経路１３〜１５は前面板１２の背面側に接着剤で固着されている。
容器回収経路１３〜１５の奥行は１２０ｍｍ、側壁の高さは１００ｍｍであり、右側面から見ると、図３（Ｂ）に示すように、図３（Ａ）の太線で示す部分の側面及び底面が、それぞれ重なって見える。そして、図３（Ｂ）では、各面を判別できるように、上部筐体５の右側面に近い部分程薄い灰色とし、遠い部分程濃い灰色としている。
また、前面板１２には、カプセルトイマシンから排出され、商品を取り出して不要になったカプセルを投入することのできる直径１２０ｍｍの容器投入口１６〜１８及びカプセル以外のビニール袋や説明書等を投入することのできる直径１２０ｍｍの廃棄物投入口１９が、それぞれ左上、右上、右下及び左下に穿たれており、前面板１２の四隅、左辺中央付近及び右辺中央付近の６箇所に、投入パネル１を上部筐体５の側面板の前面側にネジ止めするためのネジ穴２０（直径６ｍｍ）が穿たれている。
なお、容器投入口１６〜１８の直径は、カプセルに適合した大きさに設定されているが、廃棄物投入口１９は、直径１２０ｍｍに限定されるものではなく、適宜の直径又は適宜の大きさ及び形状に設定すれば良い。
【００１６】
前面板１２の最も上側に固着される容器回収経路１３には、前面左側に半円形の切欠きが設けてあり、容器回収経路１３は、全体を右下がりに傾斜させるとともに、半円形の切欠きを容器投入口１６の下部に配置してあり、容器投入口１６から投入されたカプセルは、右端に向かって転がり右端から落下するようになっている。
また、前面板１２の右側中央部に固着される容器回収経路１４は、右上の容器投入口１７と右下の容器投入口１８の間に、全体を左下がりに傾斜させて配置してあり、容器投入口１７から投入されたカプセル及び容器回収経路１３の右端から落下したカプセルは、左端に向かって転がり左端から落下するようになっている。
そして、前面板１２の最も下側に固着される容器回収経路１５は、右下の容器投入口１８と左下の廃棄物投入口１９の間に、全体を右下がりに傾斜させて配置してあり、容器投入口１８から投入されたカプセル及び容器回収経路１４の左端から落下したカプセルは、右端に向かって転がり右端に形成されている容器排出部から真下に落下するようになっている。
そのため、容器投入口１６〜１８に投入されたカプセルは、どこに投入されたかに関わらず、最終的には容器排出部から真下に落下し、容器回収箱２に回収される。
さらに、左下の廃棄物投入口１９から投入されたカプセル以外のビニール袋や説明書等は、重力により真下に落下し廃棄物回収経路を通過して廃棄物回収箱３に回収される。
なお、廃棄物投入口１９の右側には容器回収経路１５の底面が右下がりに配置され、左側の廃棄物回収経路と、右側の容器回収経路１５は隔離されているため、廃棄物投入口１９から投入されたビニール袋や説明書等が容器回収箱２に回収されることはほとんどないが、廃棄物投入口１９から投入された廃棄物が、容器回収箱２に導かれることを確実に防止したい場合には、容器回収経路１５の底面から下方に延びる隔離板を設ければ良い。
【００１７】
図４は、装飾を施した実施例に係る分別回収装置の正面図である。
図４に示すように、前面板１２の上部には、カプセルを回収するための装置であることを示す文字や各種の絵柄を表示し、容器投入口１６〜１８の周りには、カプセルを投入する箇所であることを示す文字及び絵柄を表示し、廃棄物投入口１９の周りには、カプセル以外のビニール袋や説明書等を投入する箇所であることを示す文字及び絵柄を表示し、容器回収経路１３〜１５の前面には、各種の絵柄を表示し、前面板１２の右下には、分別回収装置を利用する際の注意事項を表示してある。
【００１８】
実施例の分別回収装置に関する変形例を列記する。
（１）実施例の前面板１２には、３つの容器投入口１６〜１８と１つの廃棄物投入口１９を設けたが、２つ又は４つの容器投入口と２つ又は３つの廃棄物投入口を設けても良く、要するに複数の容器投入口と１つ以上の廃棄物投入口を設ければ良い。
そして、複数の廃棄物投入口を設ける場合、それぞれの廃棄物投入口を異なる高さに配置しても良い（実施例の場合、例えば、前面板１２の左辺中央付近に第２の廃棄物投入口を設けるとともに、その右側に廃棄物が容器回収経路１４、１５へ導かれることを防止するための上下に延びる仕切り板を容器回収経路１５の左端付近まで設けると良い）。
（２）実施例の分別回収装置は、カプセルトイマシンの近くに設置し、リサイクル可能なプラスチック製のカプセルを回収することを目的としていたため、投入パネル１の前面板１２には、それぞれ異なる高さに配置したカプセルに適合した直径の容器投入口１６〜１８を設けたが、カプセルに限らずリサイクル可能な同一サイズの容器（例えば、飲料用の缶）を回収する分別回収装置としても良く、そうする場合、カプセルに適合した直径の容器投入口１６〜１８に代えて、回収するリサイクル可能な容器に適合した大きさ及び形状の複数の容器投入口とし、それぞれを異なる高さに配置すれば良く、また、容器回収経路は、回収する容器の形状や大きさを考慮したサイズ及び配置として、投入された容器を確実に容器回収箱へ導けるようにするとともに、容器回収箱は、回収する容器の形状や大きさを考慮したサイズとする必要がある。
【００１９】
（３）実施例における筐体４は、高さ１８００ｍｍ、幅８４０ｍｍ、上部筐体５は、高さ１０００ｍｍ、幅８４０ｍｍ、奥行１５０ｍｍ、下部筐体６は、高さ８００ｍｍ、幅８４０ｍｍ、奥行４００ｍｍであったが、上部筐体５の高さ及び幅は、容器投入口１６〜１８を異なる高さに配置でき、かつ、廃棄物投入口１９を配置できる大きさであれば適宜変更しても良く、上部筐体５の奥行は、容器回収経路１３〜１５を収容できる大きさ以上であれば適宜変更しても良い。また、下部筐体６の高さ、幅及び奥行は、容器回収箱２及び廃棄物回収箱３を収容できる大きさ以上であれば適宜変更しても良い。
なお、利用者に幼児が含まれる場合には、容器回収箱２及び廃棄物回収箱３の高さ並びに下部筐体６の高さを低くするとともに、少なくとも１つの容器投入口は、幼児でも容易にカプセル等の容器を投入できる高さに配置した方が良い。
【００２０】
（４）実施例においては、上部筐体５の上部に化粧板７が取り付けてあったが、化粧板７を取り付けずに、投入パネル１の前面板１２で上部筐体５の上端まで覆っても良い。
また、図４に示す実施例の化粧板７は無地の板であったが、化粧板７に回収する容器やその容器内に収容される商品に関連した広告や意匠等を施しても良い。
（５）実施例においては、上部筐体５及び下部筐体６の背面にベニヤ板が固定されていたが、ベニヤ板を固定せず、背面は常時開放状態になっていても良い。
（６）実施例における投入パネル１の前面板１２は、透明なアクリル板であったが、透明でなくても良く、材質は樹脂製、木製、金属製のいずれでも良い。
ただし、全面が不透明な場合には、容器が回収される過程を楽しむことができなくなるので、前面板１２の適当な箇所に透明部や覗き穴部を形成して、容器回収経路１３〜１５の少なくとも一部を透視可能とした方が良い。
（７）実施例における投入パネル１の上部（容器投入口１６及び１７より上方）には何も設けていないが、このスペースに商品陳列棚や電飾装置を設けても良い。
【００２１】
（８）実施例においては、下部筐体６の前面に２枚の扉板９が設けてあったが、扉板９に代えて、下部筐体６の側面又は背面に扉板を設けても良い。また、扉板は１枚でも良く、扉板を設けずに常時開放状態としても良い。
ただし、前面又は側面を常時開放状態とする場合は、開口部に布等を吊り下げたり、容器回収箱２及び廃棄物回収箱３の側壁面に見栄えの良い意匠を施したりする方が良い。
（９）実施例においては、下部筐体６の下面にキャスター１０及びストッパー１１が設けてあったが、キャスター１０及びストッパー１１に代えてストッパー付きキャスターとしても良く、キャスター１０及びストッパー１１を設けずに、分別回収装置を台車等によって運搬し、所望の位置に設置しても良い。
【符号の説明】
【００２２】
１  投入パネル      ２  容器回収箱      ３  廃棄物回収箱
４  筐体      ５  上部筐体      ６  下部筐体      ７  化粧板
８  天板      ９  扉板      １０  キャスター      １１  ストッパー
１２  前面板      １３〜１５  容器回収経路      １６〜１８  容器投入口
１９  廃棄物投入口      ２０  ネジ穴
【要約】      （修正有）【課題】リサイクル可能な容器とそれ以外の廃棄物を分別できるようにするとともに、利用者の身長の高低にかかわらず容器を容易に投入できるようにすること及び容器が投入されてから容器回収箱に収容されるまでの過程を楽しめる分別回収装置を提供する。【解決手段】リサイクル可能なカプセル（容器）に適合した直径の容器投入口１６〜１８、容器投入口１６〜１８に投入されたカプセルを容器回収箱２に導く容器回収経路１３〜１５、廃棄物投入口１９、廃棄物投入口１９に投入された廃棄物を廃棄物回収箱３に導く廃棄物回収経路を有する投入パネル１と、前面に投入パネル１を固定可能な上部筐体５と、容器回収箱２及び廃棄物回収箱３を収容可能で、天板８、扉板９、キャスター１０及びストッパー１１を有する下部筐体６とからなる分別回収装置。【選択図】図１【図１】
0006831609.tif 000002
【図２】
0006831609.tif 000003
【図３】
0006831609.tif 000004
【図４】
0006831609.tif 000005